Podtech/llm-jp-corpus-v4-ja_patent huggingface dataset:
(57)【要約】【課題】使用者に違和感を感じさせることなく効果的に節水できる短い吐出管タイプの水栓具の提供を目的とする。【解決手段】開閉バルブを備えた本体部に短管を連結した水栓具であって、本体部と短管との連結部に節水駒を有し、短管の吐出口端部に泡沫具を有することを特徴とする。【選択図】  図１
0003158179.tif 000002
【実用新案登録請求の範囲】
【請求項１】
開閉バルブを備えた本体部に短管を連結した水栓具であって、
本体部と短管との連結部に節水駒を有し、
短管の吐出口端部に泡沫具を有することを特徴とする節水型水栓具。
【請求項２】
節水駒及び泡沫具は着脱自在であることを特徴とする請求項１記載の節水型水栓具。
【請求項３】
短管は流路長さが５０〜１５０ｍｍのアール曲げ形状を有することを特徴とする請求項１又は２記載の節水型水栓具。
【考案の詳細な説明】
【技術分野】
【０００１】
本考案は開閉バルブを備えた本体部に短い吐出管を連結した水栓具に関する。
【背景技術】
【０００２】
学校、福祉施設等の共同生活施設やキャンプ場の共同給水施設等においては、図５に示すような水栓具からなる蛇口が設けられている場合が多い。
図５に示すような蛇口には、開閉バルブ１１１を備えた水栓具の本体部１１０にアール曲げ形状の短管１２０が連結されている。
この種の水栓具に例えば特許文献１に示すような公知の節水駒を装着する場合に、開閉バルブを備えた本体部１１１と短管１２０との連結部に節水駒を装着することになるが、節水駒から短管吐出口までの流路長さが短いために装着した節水駒にて分散、分流されたままの状態で吐出するので水道水の使用者は違和感を感じてしまう問題があった。
【先行技術文献】
【特許文献】
【０００３】
【特許文献１】特開平９−３１６９４７号公報
【考案の開示】
【考案が解決しようとする課題】
【０００４】
本考案は、使用者に違和感を感じさせることなく効果的に節水できる短い吐出管タイプの水栓具の提供を目的とする。
【課題を解決するための手段】
【０００５】
本考案に係る節水型水栓具は、開閉バルブを備えた本体部に短管を連結した水栓具であって、本体部と短管との連結部に節水駒を有し、短管の吐出口端部に泡沫具を有することを特徴とする。
【０００６】
本考案において短管は流路長さが２００ｍｍ以下の短い吐出管をいい、好ましくは流路長さが５０〜１５０ｍｍのアール曲げ形状を有する。
また、節水駒は水道水の流路途中に装着することで通水量を絞ることができるものをいい、本考案では水栓具の本体部に連結する上記短管の内径よりも小さい孔径の通水孔を１つ又は２つ以上設けた着脱自在の節水駒をいう。
水栓具にかかる原水の水圧や目的とする節水量に合せて節水駒を選択使用する。
【０００７】
本考案で泡沫具は、節水駒で分水、分流された通水のみだれを泡沫通水化できるものをいい、着脱自在のものが好ましい。
【考案の効果】
【０００８】
本考案に係る水栓具にあっては、開閉バルブを備えた本体部と短管からなる吐出管との連結部に節水駒を設けて通水量を絞っても、それにより生じた分水や乱流を短管の吐出口に設けた泡沫具にて泡沫化するので使用者に違和感を感じさせることなく節水できる。
【図面の簡単な説明】
【０００９】
【図１】本考案に係る水栓具の部品構成例を示す。
【図２】本考案に係る水栓具の全体図を示す。
【図３】節水駒の例を示す。
【図４】泡沫具の例を示す。
【図５】従来の水栓具の例を示す。
【考案を実施するための最良の形態】
【００１０】
本考案に係る節水型水栓具の部品構成例を図１に示し、これらの部品を組み立てた状態を図２に示す。
水栓具は通水開閉用のバルブ１１を備えた本体部１０に連結するアール形状の短管２０を有する。
本体部１０の一方に水道水の原水側への取付部１３を有し、他方に連結雄ねじ部１２を有し、バルブ１１には弁杆１６を連結し、その先に止水弁体１５を有する。
【００１１】
短管２０は流路長さ５０〜１５０ｍｍのアール形状を有し、本体部１０側に短管２０の本体に対して回転自在の連結ナット２１を設け、この連結ナット２１を本体部１０の連結雄ねじ部１２に螺着する構造になっていて、この連結部の内側に節水駒３０を装着する。
節水駒３０は図３に示すように、本体部１０と短管２０との間に挟み込むつば部３４を有し、通水の上流面３１から下流面３２に向けて貫通した通水孔３３を有する。
通水孔３３は短管２０の内径よりも小さい孔径であり、ストレート状でも螺旋状でもよく、その孔数も本実施例では３つになっているが、１つあるいは２つ以上でもよい。
節水量に合せて適宜選択使用される。
【００１２】
短管２０の吐出側には雄ねじ部２２を有し、これに螺着する保持ナット２３を有し、保持ナット２３の内側に泡沫具４０を装着し、図４（ｃ）に示すようなシール材２４を介して短管２０に取り付ける。
泡沫具４０は図４に示すように通水の分散突片４２と網部４３を有する例になっている。
泡沫化できるものであればこれに限定されるものでなく、公知の各種泡沫具を用いることができる。
【符号の説明】
【００１３】
１０      本体部
１１      バルブ
１２      連結雄ねじ部
１３      取付部
２０      短管
２１      連結ナット
２２      雄ねじ部
２３      保持ナット
３０      節水駒
４０      泡沫具
【図１】
0003158179.tif 000003
【図２】
0003158179.tif 000004
【図３】
0003158179.tif 000005
【図４】
0003158179.tif 000006
【図５】
0003158179.tif 000007
(57)【要約】      （修正有）【課題】雨水などの浸入を防ぐことが出来、シックハウス症候群などの発症を抑えることにより環境にも人にも優しい木材パネルを提供する。【解決手段】縦に互いに当接した複数本の角柱材と、該角柱材の当接面に所定間隔で縦に貫通させた少なくとも一つ以上のアリ溝と、該アリ溝に嵌入させる目地材とからなることを特徴とする嵌め合わせ木材パネルで、かつ、縦に互いに当接した複数本の角柱材の一端側から他端側に貫通させたボルト穴と、該ボルト穴にナットを介して挿入固着するボルトとからなる嵌め合わせ木材パネルとした。【選択図】図１
0003158125.tif 000002
【実用新案登録請求の範囲】
【請求項１】
縦に互いに当接した複数本の角柱材と、該角柱材の当接面に所定間隔で縦に貫通させた少なくとも一つ以上のアリ溝と、該アリ溝に嵌入させる目地材とからなることを特徴とする嵌め合わせ木材パネル
【請求項２】
上記縦に互いに当接した複数本の角柱材の一端側から他端側に貫通させたボルト穴と、該ボルト穴にナットを介して挿入固着するボルトとからなることを特徴とする請求項１に記載の嵌め合わせ木材パネル。
【考案の詳細な説明】
【技術分野】
【０００１】本考案はログハウスの板壁組立に用いる、嵌め合わせ木材パネルに関する。
【背景技術】
【０００２】従来のログハウスは丸太材や半丸太材を横張り工法にして建築されている。
【先行技術文献】
【特許文献】
【０００３】
【特許文献１】特開２００６−１９４０５９号公開公報
【考案の概要】
【考案が解決しようとする課題】
【０００５】従来のログハウスは、丸太材や半丸太材を横張り工法により建築されている。横張りの場合は丸太と丸太の接合部分が凹（くぼみ）になっている為、そこへ雨水が溜まりやすく長く放置することにより腐れの原因となる。
【課題を解決するための手段】
【０００６】本考案は、縦に互いに当接した複数本の角柱材と、該角柱材の当接面に所定間隔で縦に貫通させた少なくとも一つ以上のアリ溝と、該アリ溝に嵌入させる目地材とからなることを特徴とする嵌め合わせ木材パネルで、かつ、縦に互いに当接した複数本の角柱材の一端側から他端側に貫通させたボルト穴と、該ボルト穴にナットを介して挿入固着するボルトとからなる嵌め合わせ木材パネルとした。即ち、角柱材を複数本縦列に並べて嵌め合わせ部のアリ溝に目地材を貫通させ一枚のユニットを形成し壁面を構成する事により雨水などの浸入を防ぐ事が出来た。また、丸太材の変わりに、角材を使用しそれを縦張り工法で建築する事により雨水課題の原因を解決する事ができた。
【考案の効果】
【０００７】角材を縦張りに並べ、接合部分のアリ溝に目地材を貫通させる事により、雨水などの浸入を防ぐことが出来た。また、従来の住宅による新建材を使用していないのでシックハウス症候群などが発症を抑えることにより環境にも人にも優しい物が出来上がり、杉、桧などの伐採廃材の有効活用にも貢献出来る。
【図面の簡単な説明】
【０００８】
【図１】本考案に係る実施例を示す上面図である。
【図２】本考案に係る実施例を示す図１の斜視力図である。
【考案を実施するための形態】
【０００９】図１と図２を参考に具体例を挙げて、以下説明する。
【実施例】
【００１０】図１に図示する如く、本実施例では、一対の角材１の相対する嵌め合せ部１ａのアリ溝３に、目地材２を嵌合して板壁を形成した。本事例では、一対の角材１の相対する嵌め合せ部１ａに、所定間隔でアリ溝３を前記角材１の長手方向側面１ｂに、２条刻設したが、アリ溝３は、複数条、例えば、３条や４条など必要に応じて用いることが出来る。【００１１】図２は、図１に図示の板壁に貫通させたボルト穴４に、ボルト４ａ挿入し、ナット５を介して角材１を板壁に組み立てた例を示す。角材１の本数は、必要に応じ適宜増減する。上記実施例の目地材２に変え、一対の角材１の相対する嵌め合せ部１ａの一方のアリ溝３に、上記角材１の嵌め合せ部突起１ｃを嵌合して板壁を形成することもできる。
【産業上の利用可能性】
【００１２】本考案は、ログハウスのみならず、テーブルやイス等の家具にも適用できる。
【符号の説明】
【００１３】１：角材
１ａ：角材の嵌め合せ部
１ｂ：角材の長手方向側面
１ｃ：角材の嵌め合せ部突起
２：目地材
３：アリ溝
４：ボルト穴
４ａ：ボルト
５：ナット
【図１】
0003158125.tif 000003
【図２】
0003158125.tif 000004
(57)【要約】      （修正有）【課題】下箸を持つ場合、支点として親指の付け根と薬指先があります。箸使いを練習する時薬指先が丸みを帯びているため箸を薬指先上で巧く支えられない。一方が支えられないため親指付け根からも箸がずれてしまい箸使いがなかなか上達しないので、基本的な下箸の持ち方を習熟できる練習用箸を提供する。【解決手段】下箸の中央と後方に穴を開け、中央の穴に薬指先を入れ、ずれ難くし、後方の穴に取り付けた輪ゴムを手首に巻き付け親指付け根からも箸がずれないようにした。【選択図】図２
0003158121.tif 000002
【実用新案登録請求の範囲】
【請求項１】
中央と後方に穴２が開いた箸１。
【考案の詳細な説明】
【考案の詳細な説明】
【考案が解決しようとする課題】
【０００１】  下箸を持つ場合、支点として親指の付け根と薬指先があります。箸使いを練習する時薬指先が丸みを帯びているため箸を薬指先上で巧く支えられない。一方が支えられないため親指付け根からも箸がずれてしまい箸使いがなかなか上達しないという問題があった。
【課題を解決するための手段】
【０００２】  薬指先から箸がずれないようにするため、箸中央に穴を開けた。さらに親指付け根から箸がずれないようするための輪ゴムを留めるための穴を箸後方に開けた。
【考案の効果】
【０００３】  薬指先と親指付け根から箸がずれないようになるため、基本的な下箸の持ち方を習熟できるようになる。
【図面の簡単な説明】
【図１】  下箸の斜視図である。
【図２】  右手で下箸を持った側面視図である。
【符号の説明】    １  下箸
２  穴
３  右手
４  輪ゴム
【図１】
0003158121.tif 000003
【図２】
0003158121.tif 000004
(57)【要約】      （修正有）【課題】指先が自由に使えない部位にも貼り易い貼付薬を提供する。【解決手段】貼付薬の薬面を覆う弾力のあるフィルムに折り目を付ける。【選択図】図１
0003158124.tif 000002
【実用新案登録請求の範囲】
【請求項１】
薬面を覆うフィルムに折り目を付けた貼付薬。
【考案の詳細な説明】
【技術分野】
【０００１】  本考案は貼付薬に関するものである。
【背景技術】
【０００２】  貼付薬は、薬を塗った薬支持体とその薬面を覆うフィルムで構成されている。薬支持体は布のように柔らかいのに対してフィルムは弾力を持っている。薬面は粘着性がありフィルムは薬面に粘着している。薬面からフィルムを剥がしやすくするため、薬面全体を２つや３つの部分に分割して部分毎に切断されたフィルムで覆い、部分毎にフィルムをはがせるようにするなどの工夫がなされている。しかし、フィルムは弾力があるため剥がすのを途中で止めるとフィルムは再び薬面に粘着してしまう。すなわち、連続したフィルム部分毎には完全に剥がしてしまうかその部分全体を薬面に粘着させておくかの二者択一の状態しか取れない。完全に剥がしてしまうとその部分は粘着性のある薬面が表れているので手で持つことは出来ない。フィルムを付けたまま肌に貼り付けると薬支持体と肌の間に挟まれ薬面に粘着した状態のフィルムを指先で剥がさなければならない。したがって、指先が自由に使えない部位への貼付が困難となる。
【考案の開示】
【考案が解決しようとする課題】
【０００３】  本考案は指先が自由に使えない部位にも貼り易い貼付薬を提供する。
【課題を解決するための手段】
【０００４】  以下、図を用いて構成と使用法を詳細に説明する。
図１は本考案の貼付薬の構成図であり、１は貼付薬全体、２は薬支持体、３はフィルムＡ部、４はフィルムＢ部、５はフィルムＣ部、６は折り目Ｂ、７は折り目Ｃである。薬支持体２の上には薬が塗られ、その薬面上はさらにフィルムで覆われている。図１の例ではフィルムは、フィルムＡ部３、フィルムＢ部４、フィルムＣ部５の３つの部分に分かれている。貼付薬１の端部を覆うフィルムＢ部４とフィルムＣ部５にはそれぞれ折り目Ｂ６と折り目Ｃ７が付けられている。折り目Ｂ６、折り目Ｃ７はフィルムを一度折り曲げると自然に元の平面状態に戻らないように弾力を無くした部分である。フィルムに溝をつけたりミシン目を付けたりして実現できる。折り目Ｂ６、折り目Ｃ７以外の構成は従来の貼付薬の構成と同じである。
図２は貼付薬１の使用時の状態を示す側面図であり、４−１は剥離部Ｂ，４−２は仮留め部Ｂ，５−１は剥離部Ｃ，５−２は仮留め部Ｃ，８は薬面である。
フィルムＢ部４を中央部から折り目Ｂ６まで剥がすと薬面８から剥がれた剥離部Ｂ４−１と薬面８に粘着したままの仮留め部Ｂ４−２の部分に分かれる。折り目Ｂ６ではフィルムの弾力が無いので、この状態で手を離しても剥離部Ｂ４−１が自然に薬面８上に戻り粘着してしまうことは無い。同様にフィルムＣ部５も剥離部Ｃ５−１と仮留め部Ｃ５−２の部分に分かれる。
この状態で、粘着性がある薬面８に触れることなく、剥離部Ｂ４−１、仮留め部Ｂ４−２、あるいは両者を重ねて貼付薬１を持つことができる。この部分はフィルムＣ部５を剥がす場合に指で押さえることもできる。逆にフィルムＣ部５側も同様に使える。また、このようにフィルムを途中まで剥がした状態で肌に貼り付けると、剥離部Ｂ４−１と剥離部Ｃ５−１は薬支持体の範囲外に出ているため掴みやすい。従来のように薬面８に粘着しているフィルム端を指先で剥がすことなく、剥離部Ｂ４−１と剥離部Ｃ５−１を掴んで引っ張るだけで容易に仮留め部Ｂ４−２と仮留め部Ｃ５−２を薬面８から完全に剥がすことができる。
剥離部Ｂ４−１と剥離部Ｃ５−１を開いたまま貼付薬１を保持するには、例えば、従来の方法と同様に厚紙等に切込みを設けその切込みに両剥離部を差し込み厚紙ごと持つことで容易に実現できる。
以上はフィルムが３つの部分に分かれた例を述べたが、２つの部分に分かれた場合はフィルムＡ部３が無いだけで同じである。
【考案の効果】
【０００５】  貼付薬の薬面を覆うフィルム上に折り目をつけて連続したフィルムを途中まで剥がした状態が維持できるので、薬面に触れずに貼付薬を持つことが出来る。また、肌に貼ったとき剥離部は薬支持体の範囲外に出ているので容易につかむことができ、機械的に引っ張るだけで簡単にフィルムを完全に剥がすことが出来る。その結果、指先を自由に動かすことが難しい体の部位にも貼付薬を貼付することが可能となる。
【考案を実施するための最良の形態】
【０００６】  折り目は従来のミシン目加工やフィルム加工技術で実現できる。折り目加工以外の部分は従来の貼付薬の製造と同じである。
【図面の簡単な説明】
【０００７】
【図１】  貼付薬の構成図
【図２】  貼付薬の使用時の状態を示す側面図
【符号の説明】
【０００８】１は貼付薬、２は薬支持体、３はフィルムＡ部、４はフィルムＢ部、４−１は剥離部Ｂ，４−２は仮留め部Ｂ，５はフィルムＣ部、５−１は剥離部Ｃ，５−２は仮留め部Ｃ，６は折り目Ｂ、７は折り目Ｃ、８は薬面である。
【図１】
0003158124.tif 000003
【図２】
0003158124.tif 000004
(57)【要約】      （修正有）【課題】ガラス製、樹脂製等の容器を保護し、破損時の四散を防止できるオールシリコンゴム製保護カバーを提供する。【解決手段】薄いシリコンゴム製のシートに粘着性の高いシリコンゲル状ゴムを接着させ、そのシートを製品に密着させる。【選択図】図１
0003158126.tif 000002
【実用新案登録請求の範囲】
【請求項１】
シリコンゴムに自己粘着性の高いシリコンゲル状ゴムを接着させたオールシリコンゴム製保護カバー
【考案の詳細な説明】
【考案が解決しようとする課題】
ガラス・樹脂等の容器の破損防止及び、四散防止
【課題を解決するための手段】
シリコン製カバーに自己粘着性の高いシリコンゲルを接着させ、その製品を容器に密着させる
【考案の効果】
自己粘着性を有することで破損した場合でも破片が四散しない
【図面の簡単な説明】
【図１】  シート状の製品を巻き付けた使用図
【考案を実施するための形態】
図１の他、容器の形状に合わせた製品も作れる
【実施例】  ガラス哺乳瓶等の保護
【産業上の利用可能性】  オールシリコンゴム製の為、衛生上の問題が少ない。
煮沸消毒、消毒液に対しても問題が少ない。
自己粘着性の高いシリコンゲルを使用する為、反復使用が出来る。
製品が破損した場合、破片の四散を防止出来る。
【図１】
0003158126.tif 000003
(57)【要約】【課題】  体力が低下し介護を必要とする人が、安心して用を足すことが出来るように工夫した洋式トイレを提供する。【解決手段】  足腰の筋力が低下し、座ったり立ったりする動作が困難になった人にとっては便座面が高い方が楽なので従来のトイレの高さを高くする。  それにより不安定になる足元に足載せ台を置くことによって姿勢を安定させる方法を特徴とする。【選択図】図１
0003158127.tif 000002
【実用新案登録請求の範囲】
【請求項１】
洋式トイレの高さを高くし、足元に足載せ台を付けた介護用のっぽトイレ。
【考案の詳細な説明】
【技術分野】
【０００１】  この考案は、要介護者のための介護用のっぽトイレに関するものである。
【背景技術】
【０００２】  従来、トイレの便座面の高さは、健常者も体力が低下した人も同じである。
【考案の開示】
【考案が解決しようとする課題】
【０００３】  これは次のような欠点があった。
（イ）足腰の筋力が低下し介護を必要としている人にとっては、便座面が低すぎるため用を足すとき、座ったり立ったりするのが困難である
（ロ）（イ）の人を介護する人の腰への負担が大きい。
本考案は、以上のような欠点をなくすためになされたものである。
【課題を解決するための手段】
【０００４】  従来のトイレの高さを高くし、そのことによって不安定になる足元に足載せ台を付ける。
本考案は、以上の構成よりなる介護用のっぽトイレである。
【考案の効果】
【０００５】    （イ）トイレの座面が高くなったことにより、利用者が楽に座ったり立ったりできるようになる。
（ロ）介護する人も中腰での姿勢が少なくなり腰への負担が軽減される。
【考案を実施するための最良の形態】
【０００６】  以下、本考案を実施するための最良の形態について説明する。
従来のトイレの高さを高くする。このことにより利用者は楽に便座に座ることができるが、トイレを高くしたことで、足元が不安定になるので、着座後は組み込んでおいた足載せ台を介護者が引き出し、足を載せてあげる。尚、つかまるための補助具を設置しておくことでより安心して利用できる。
このように利用者の動きを補助できるのっぽトイレによって介護する人の負担も軽減できる。
【図面の簡単な説明】
【０００７】
【図１】本実施形態を示す斜視図である。
【図２】収納時の斜視図である。
【図３】収納時の正面図である。
【符号の説明】
【０００８】  １  従来品より高くした部分
２  足載せ台
【図１】
0003158127.tif 000003
【図２】
0003158127.tif 000004
【図３】
0003158127.tif 000005
(57)【要約】      （修正有）【課題】広帯域に亘って、通過電流による減衰特性の劣化を低減することができる電源フィルターを提供する。【解決手段】珪素鋼板を用いたインダクタンスを用いる。【選択図】図１
0003158122.tif 000002
【実用新案登録請求の範囲】
【請求項１】
珪素鋼板を用いたインダクタンスを用いることにより、負荷特性の低下が極小で維持でき、広帯域に亘って良好な電磁波減衰特性を有することを特長とする電源フィルター。
【考案の詳細な説明】
【技術分野】
【０００１】  本考案は、電源フィルター（ラインフィルター）は負荷大電流時における高特性の維持。（電磁波雑音制御の分野）
【背景技術】
【０００２】  電磁波遮蔽装置すなわちシールドルーム・電波暗室ににおいては、室内で使用する機器の電源は、室外から電源線を利用して供給する。このとき、室外あるいは室内に置かれた機器から発生する電磁波雑音が電源線を伝わって室の外部あるいは内部に漏洩するのを防ぐため電源線に使用する電磁波雑音阻止用電源フィルターを使用する。従来の電源フィルターの部品および構造では、機器に流れる電流の大きさによってその電磁波阻止効果（以下、減衰特性と呼ぶ）が低下する状態にあった。
【先行技術文献】
【特許文献】
【非特許文献】
【考案の概要】
【考案が解決しようとする課題】
【０００３】  電源フィルタにおいて通過電流による減衰特性（以下、負荷減衰特性と呼ぶ）の劣化を低減する技術の開発。
【課題を解決するための手段】
【０００４】  従来は無負荷特性と負荷特性に差異があったが、電流によるインダクタンス特性劣化の少ない珪素鋼板を用いたインダクタンスを用いることにより、その差異が極小で維持できる。
【考案の効果】
【０００５】  珪素鋼板を用いたインダクタンスを用いることにより、広帯域に亘って良好な負荷減衰特性を持つ高性能なフィルタを実現できる。
また、負荷特性の低下が極小で維持できる。
【図面の簡単な説明】
【０００６】
【図１】  高性能電源フィルター（ラインフィルター）の回路図
【考案を実施するための形態】
【０００７】  珪素鋼板を用いた、インダクタンスを用いる。
【実施例】
【０００８】  電磁波遮蔽装置すなわちシールドルーム・電波暗室に用いる９ＫＨｚ〜１０ＧＨｚまで１００ｄＢ以上の電源フィルター（ラインフィルター）。
【産業上の利用可能性】
【０００９】  所用周波数以外の電磁波ノイズを除去する設備に用いる。
また、この高性能フィルタを用いることにより、減衰特性の優れた、シールドルームおよび電波暗室の実現、また、工業用および家庭用電気機器から発生する電磁波雑音を軽減させラジオ、テレビ、および情報機器などの利用に画期的な便宜をもたらす。
【符号の説明】
【００１０】  ▲１▼  電源フィルター（ラインフィルター）
▲２▼  インダクタンス
▲３▼  コンデンサ
【図１】
0003158122.tif 000003
(57)【要約】      （修正有）【課題】資料の抜け落ちが無くなるクリアホルダーを提供する。【解決手段】クリアホルダーの開口部の前面シート１の上側端と左側端の内側面、及び、後面シート２の上側端と右側端の内側面にマグネット５，６又は、強磁性体を有した金属板５とマグネット６及びマグネット３，４又は、強磁性体を有した金属板３とマグネット４を備えたことで、磁力のくっつきで作られるクリアホルダー内の空間は、書類を確保する。【選択図】図１
0003158132.tif 000002
【実用新案登録請求の範囲】
【請求項１】
クリアホルダーの開口部の前面シートの上側端と左側端の内側面及び、後面シートの上側端と右側端の内側面にマグネットとマグネットを配したクリアホルダー。
【請求項２】
クリアホルダーの開口部の前面シートの上側端と左側端の内側面及び、後面シートの上側端と右側端の内側面にマグネットと強磁性体を有した金属板を配したクリアホルダー。
【考案の詳細な説明】
【技術分野】
【０００１】  本考案は、資料等を挟んで一時的に保管するクリアホルダーに関する。
【背景技術】
【０００２】  従来、市販されているクリアホルダーは合成樹脂性フィルムが使用されている。  このクリアホルダーの構造は、合成樹脂性フィルムを２つ折りにし、重なる底辺部を固定したものである。【０００３】  一般に、クリアホルダーは、透明、または半透明なフイルムを用いているため、クリアホルダー内の資料を取り出さなくとも、書類を把握することができる利点がある。  また開口部を留める機構も無く、資料の出し入れが簡易であると共に非常に薄くて軽いので、書類の持ち運びや書類の整理、分類に非常に便利である。
【考案の開示】
【考案が解決しようとする課題】
【０００４】  しかし、従来のクリアホルダーは開口部を閉じる機構が無いため、資料がクリアホルダーから食み出しての保管が多々であり、食み出た資料の一部が折れたり、汚れたりした。【０００５】  また、クリアホルダーを持ち運んだとき、開口部から資料がづれ落ちることがあり、開口部が常時オープンであることが問題である。
【課題を解決するための手段】
【０００６】  クリアホルダーの開口部の前面シートの上側端と左側端の内側面及び、後面シートの上側端と右側端の内側面にマグネットとマグネット、又は、マグネットと強磁性体を有した金属板を備えたクリアホルダーを考案した（図１）。このクリアホルダーにより開口部が常時閉じているため、クリアホルダー内に収められていた書類が自然にホルダーからづれ落ちることがないのである。
【考案の効果】
【０００７】  よって、本考案のクリアホルダーにより、書類のづれ落ちが無くなる。  また、従来のクリアホルダーの開口部はフリーで使い易い面もあり、マグネットを使用したことにより使い易い面を残すことができた。
【考案を実施するための最良の形態】
【０００８】  本考案に係るマグネット付クリアホルダーは、図１に示すように、開口部の上端にマグネット５と６、或いは、強磁性体を有した金属板５とマグネット６を配しており、且つ、側端にマグネット３と４、或いは、強磁性体を有した金属板３とマグネット４を配している。  これらの５と６、及び３と４が磁力でくっつくことにより作られるクリアホルダー内の空間は、クリアホルダーが対象としている紙の大きさを十分に確保したものとなる。
【図面の簡単な説明】
【０００９】
【図１】  本考案に係るマグネット付クリアホルダーのアイソメ図である。
【図２】  従来のクリアホルダーのアイソメ図である。
【符号の説明】
【００１０】  １      前面シート
２      後面シート
３      マグネット、又は、強磁性体を有した金属板
４      マグネット
５      マグネット、又は、強磁性体を有した金属板
６      マグネット
【図１】
0003158132.tif 000003
【図２】
0003158132.tif 000004
(57)【要約】      （修正有）【課題】雪地と舗装面両方を移動可能にし、使用時期によって使い分けでき、工具等を一切使用しないで着脱可能な車輪付スノーダンプを提供する。【解決手段】車輪７を平板４に固定し、その平板先端部５をスノーダンプ前面部２に引っ掛けられるよう折り曲げ、平板後部に取り付けたキャッチクリップ受け金９を、スノーダンプ背面部３のキャッチクリップベース８で引っ掛け固定することにより雪地と舗装地面の両方の移動を可能にする。雪地の移動には重心を前方に、舗装地面では重心を後方に置くことで簡単に移動できる。また雪の多い時期においては本装置を取り外すことにより通常のスノーダンプとして使用することが可能である。【選択図】図１
0003158131.tif 000002
【実用新案登録請求の範囲】
【請求項１】
ゴム製の車輪を平板に固定し、その平板先端部をスノーダンプ前面部に引っ掛けられるよう折り曲げ、平板後部のキャッチクリップ受け金をスノーダンプ背面部のキャッチクリップベースで固定し、平板は湾曲させ左右側面には側壁をつけることにより、隙間に雪が入ることを防ぐことを特徴とした車輪付スノーダンプ。
【考案の詳細な説明】
【技術分野】
【０００１】本発明は、着脱可能な車輪付スノーダンプに関するものである。
【背景技術】
【０００２】従来、スノーダンプはスコップに比べ積載容量が大きいので除雪作業には効率的である。スノーダンプは積雪のある地域では欠かせない除雪用具となっているが、春先の融雪期間ではアスファルト等が露出した地面の運搬には摩擦抵抗を受けてしまうものが多い。車輪付きのスノーダンプについても車輪がダンプに固定されているもの（特許文献１参照。）と着脱式車輪付ダンプ（登録実用新案文献１参照。）などがある。
【先行技術文献】
【特許文献】
【０００３】
【特許文献１】特開２００５−１６３４１５
【特許文献２】登録実用新案第３０２７１５１号
【考案の概要】
【考案が解決しようとする課題】
【０００４】ところが前記のスノーダンプは鉄・アルミ・プラスチックなどのバケットにコの字型の取っ手が装着されているだけのものが多く、アスファルト等の舗装地面が露出している場所での運搬では摩擦抵抗で地面とスノーダンプ両方を傷つける可能性がある。また摩擦抵抗は運搬時のおける人体にも負荷をかける。従来のスノーダンプは雪地と舗装地面両方が現れる春先の融雪期間では使用・移動ともに困難する。また車輪が固定されているものは積雪期間と融雪期間の使い分けが難しく、着脱式車輪付ダンプは取り付けの際ナットや工具を必要とする。【０００５】そこで、これらの問題を解消する為に本考案は雪地と舗装面両方を移動可能にし、使用時期によって使い分けでき、工具等を一切使用しないで着脱可能な車輪付スノーダンプを提供するものである。
【課題を解決するための手段】
【０００６】上記の問題を解決するために本考案は車輪を平板に固定し、その平板先端部をスノーダンプ前面部に引っ掛けられるよう折り曲げ、平板後部に取り付けたキャッチクリップ受け金をスノーダンプ背面部のキャッチクリップベースで引っ掛け固定する。使用する車輪は直径５ｃｍほどのゴム製でこれは寒冷地において凍結しにくく破損することが少ない。また舗装地面移動時には静かに稼動させることができる。キャッチクリップはネジなどの部品を使用しないので誰にでも簡単に着脱が可能となる。平板は湾曲させることによりスノーダンプとの隙間をなくし、左右側面を折り返して側壁をつけることにより隙間に雪が入ることを防ぐ。本装置を取り付けることにより雪地の移動には重心を前方に、舗装地面では重心を後方に置くことで簡単に移動できる。また雪の多い時期においては本装置を取り外すことにより通常のスノーダンプとして使用できる。
【考案の効果】
【０００７】本考案は工具等を一切使用しなので誰にでも簡単に装着できる。車輪は着脱できるので装着時には舗装道路での使用も可能となり身体への負担も軽減される。また車輪を外せば通常のダンプとしても使用が可能となる。しかも市販のスノーダンプに装着でき、価格も安く量産できる。
【図面の簡単な説明】
【図１】車輪付スノーダンプの全体を示す斜視図
【図２】車輪付スノーダンプの全体を示す断面図
【実施例】実施例について図面を参照して説明する。
図１は本考案の実施例を示す外観斜視図である。
図２においてスノーダンプ本体１は量販店などで広く流通しているものを使用する。平板４はスノーダンプとの間に隙間ができないよう湾曲に加工する。平板先端部５はスノーダンプ前面部２に引っ掛かるように折り曲げて加工する。平板側面６は２ｃｍ程折り曲げ側壁を施す。車輪７は直径５ｃｍ程のゴム製のものである。キャッチクリップベース８にはバネを有しておりそのバネの弾性力を利用しキャッチクリップ受け金９に引っ掛けることでスノーダンプ本体１と平板４の両者を簡単に固定することができる。
【符号の説明】１    スノーダンプ本体
２    スノーダンプ前面部
３    スノーダンプ背面部
４    平板
５    平板先端部
６    平板側壁
７    車輪
８    キャッチクリップベース
９    キャッチクリップ受け金
【図１】
0003158131.tif 000003
【図２】
0003158131.tif 000004
(57)【要約】      （修正有）【課題】雨天時に、顔を濡らさずに視界を確保できるレイン用フードを提供する。【解決手段】撥水加工されたポリエステルの布からなる。頭巾状に形成し、首まわりに沿って、裾にベルトを縫いつけ、ベルトの端を顎の下で、面ファスナーまたはスナップボタンで固定する。ベルトの裾にケープ状の布を縫いつけ、前をスナップボタンで固定する。頭巾状の顔面部分は、透明な厚手のビニールシートを顔から５ｃｍ位浮くように縫合接着する。【選択図】図１
0003158134.tif 000002
【実用新案登録請求の範囲】
【請求項１】
雨よけの傘の代わりに頭に被るフードで、撥水加工されたポリエステルの布で顔の額から真直ぐおりて耳元を覆いそこから後ろの首まで覆う頭巾状にして、形は頭の形にフィットするよう形成し、その頭巾の首まわりに沿って裾に同じ素材で首の高さのベルトを縫い付け、ベルトの端を顎の下で面ファスナーまたはスナップボタンで固定し、そのベルトの裾に同じ素材の撥水加工された布をケープ状に縫い付け、ベルトと同じく前でスナップボタンで固定する、その頭巾状のものの開いた顔面部分に、額から顎の位置まで透明な厚手のビニールシートで覆い、それを顔の位置から５センチメートル位浮くようにして、額から耳元のベルト付け位置まで縫合接着する、首で固定するベルトとケープ付き頭巾に、顔面を覆う大きさの透明な厚手のビニールシートを付けたのを特徴とするレイン用フード。
【請求項２】
雨の日に着用するフードつきポンチョで、撥水加工されたポリエステルの布で顔の額から真直ぐおりて耳元を覆いそこから後ろの首まで覆う頭巾状にして、形は頭の形にフィットするよう形成し、その頭巾の首まわりに沿って裾に同じ素材で首の高さのベルトを縫い付け、ベルトの端を顎の下で面ファスナーまたはスナップボタンで固定し、そのフードのベルトの裾に同じ素材の撥水加工された膝下までの長さのポンチョを縫い付け、ベルトと同じく前でスナップボタンで固定し、そのフードの開いた顔面部分に額から顎の位置までを透明な厚手のビニールシートで覆い、それを顔の位置から５センチメートル位浮くようにして額から耳元のベルト付け位置まで縫合接着する、首で固定するベルトがついたフードに顔面を覆う大きさの透明な厚手のビニールシートを付けたのを特徴とするレイン用ポンチョ。
【考案の詳細な説明】
【技術分野】
【０００１】レイン用合羽を着用しフードを被り横を向くと、フードの中で頭だけ横向きになるがそれを解決するためにフードを合羽から独立させて頭に固定すると頭の動きと一緒にフードも動くので機能的になる。
【背景技術】
【０００２】バイク用フルフェイスヘルメットを参考に、自転車用に雨の日顔が濡れないで尚且つ、視界が確保できるようビニールでフルフェイスヘルメットの代用を考案した。
【考案の開示】
【考案が解決しようとする課題】
【０００３】雨合羽用のフードは合羽と一体になるよう取り付けるため、首を動かして横を見る時フードが合羽の上着に固定されているので動かず、フードの中で頭だけが横向きになってしまいフードが邪魔をして視界が遮られ、上半身ごと動かさないと安全確認が充分できないことがある。特に自転車走行中の安全確認が充分できないと事故に繋がる恐れがあるし、合羽のフードでは雨が顔にかかるので、雨を避けようとする姿勢になるための視界の悪さも走行を困難にしている。
【課題を解決するための手段】
【０００４】本考案は、雨合羽を着用しフードを被った時の視界を確保するための考案で、雨の強弱に関わらず顔に雨がかからないように、額から顎まで顔面全体を透明な厚手のビニールで覆い、それが顔を圧迫することのないように顔から５センチメートル位空間をおいて空気の入れ替えができるようにし、風を受けてもカバーが顔にまつわり付かないようにするため厚手のビニールを使用する。また、顔面全体を透明なビニールで覆うことにより雨に濡れることなく視界が確保でき安全確認が充分できるようになる。そして頭を保護する頭巾部分は撥水加工したポリエステル布を使い、首の位置で切り替えにして同じ素材で首の高さのベルトを付け、そのベルトを顎の下で面ファスナーまたはスナップボタンで固定し、そのベルトの裾に同じ素材でケープ状のものを付けることで、頭を動かすとフードも一緒に動き視界を遮らないようになるし、強風に煽られてもフードが外れるのを防ぐこともできる。またケープ状の部分をポンチョにして裾を長くすることで袖を通すことなく簡単に装着できる視界良好な雨具になる。本考案の特徴はフードをベルトで首に固定し、顔面全体をビニールシートで覆う自転車用のフルフェイスヘルメットの代用の形体にすることである。
【考案の効果】
【０００５】雨の日の自転車走行中合羽を着用していると、顔が濡れたり合羽フードが邪魔をして安全確認がおろそかになってしまい交通安全上たいへん危険なので、視界を確保することができるような形にすることが重要だが、本考案だと視界が広く顔も濡れないので、強い雨の日も安全に自転車走行できる。
【考案を実施するための最良の形態】
【０００６】フードの首の切り替えベルト部分の縫製は、雨を染込ませないように上側を被せるように重ねて押さえ縫いして、雨の侵入を防ぐようにする。
【実施例】
【０００７】顔面を覆うビニールは透明なので以外に圧迫感はないが、声がこもってしまうので会話がし辛い。しかし雨で顔が濡れないので強い雨の日も安心して自転車走行できる。
【図面の簡単な説明】
【０００８】
【図１】  １、  レイン用フェイスガードフードを装着した図  ２、  レイン用フェイスガードポンチョを装着した図
【図面の符号の説明】
【０００９】ａ    顔面全体を覆うビニールのフェイスガード
ｂ    撥水加工したポリエステル布の頭巾
ｃ    首に固定するための首の高さの同素材のベルト
ｄ    ベルトを固定する面ファスナーまたはスナップボタン
ｅ    同素材のケープ
ｆ    ケープを固定するスナップボタン
ｇ    同素材のポンチョ
【図１】
0003158134.tif 000003
(57)【要約】      （修正有）【課題】使用済み生理用ナプキンと判りにくく、散らかさず、見た目もスッキリとして、ゴミ出しする時の臭いも気にせず、簡単に捨てる事が出来る生理用ナプキンの廃棄紙箱を提供する。【解決手段】紙製箱１の上面に口４を開けておく。口４の形は、楕円形あるいは、他の任意の形とする。其の口４に切れ目３の入った樹脂フィルム２を貼る。フィルムは口４の裏面に貼って有る。切れ目３は、通常は閉じているが使用済生理用ナプキンを押し込むと開きナプキンが通過すると自然に閉じる。フィルムを貼った口４の上面は蓋５を閉めることができる。【選択図】図１
0003158135.tif 000002
【実用新案登録請求の範囲】
【請求項１】
紙箱の上面に使用済み生理用ナプキンを入れる事の出来る切れ目がある色付きの樹脂フィルムが貼ってある使い捨ての使用済み生理用ナプキン投入用紙箱。
【考案の詳細な説明】
【技術分野】
【０００１】この考案は、使用済み生理用ナプキンの廃棄を簡単にするものである。
【背景技術】
【０００２】従来品は、樹脂製・プラスチック製の箱で、中にビニール袋を入れ其の中に使用済み生理用ナプキンを入れる。
廃棄の時には、中のビニール袋ごと取り出し口を結んでゴミ袋に捨てる使い方になっている。
【考案の概要】
【考案が解決しようとする課題】
【０００３】使用済み生理用ナプキンを処理するのに本人以外の人にも使用済生理用ナプキンと判るナプキンを包んでいる紙が散らかりゴミ出しする時の臭いも気になる問題点がある。
【課題を解決するための手段】
【０００４】箱の入り口に切れ目の有る色付き樹脂フィルムを貼りその切れ目から使用済生理用ナプキンを投入できる様にした。
【考案の効果】
【０００５】箱の入り口に切れ目の有る色付き樹脂フィルムが貼ってある為、中に使用済生理用ナプキンや付属している紙など一度入れたら外に飛び出すことがなく散らからない。しかも色付きである為、中に入れた生理用ナプキンが見えにくい。
捨てる時も箱そのままで、臭いも気にせずゴミ袋に捨てる事が出来る。
【図面の簡単な説明】
【０００６】
【図１】  フタを開けている図
【図２】  フタを閉めている図
【考案を実施するための形態】
【０００７】以下、本考案の実施の形態について説明するならば、紙製箱１の上面に口４を開けておく  口４の形は、図１では楕円形であるが、其の形は他の形であってもよい。
其の口４に切れ目３の入った樹脂フィルム２を貼る。
フィルムは口４の裏面に貼って有る。
切れ目３は、通常は閉じているが使用済生理用ナプキンを押し込むと開きナプキンが通過すると自然に閉じる。
フィルムを貼った口４の上面は蓋５を閉めることができる。
【０００８】紙製箱の大きさは、使用済生理用ナプキンが、２０個位入るサイズが好ましいが、それより大きくても小さくてもよい。
【符号の説明】
【０００９】１  箱本体
２  色付き樹脂フィルム
３  切れ目
４  入れ口
５  フタ
【図１】
0003158135.tif 000003
【図２】
0003158135.tif 000004
(57)【要約】      （修正有）【課題】スピーディに包装箱より取出す事ができる救急バンを提供する。【解決手段】包装箱内の救急バンを、全枚数連続しているものにする。さらに包装箱の一面に救急バン取出口用スリットを設け、スリット面をミシン目の入った透明なビニール類シートでおおい、常に１枚分の救急バンが箱から出ている状態にする。【選択図】図１
0003158104.tif 000002
【実用新案登録請求の範囲】
【請求項１】
包装箱に取出口用スリットを設けた救急バン。
【請求項２】
包装箱の取出口用スリット面をミシン目の入った透明シートでおおった救急バン。
【考案の詳細な説明】
【技術分野】
【０００１】本考案は救急バンに関するものである。
【背景技術】
【０００２】従来使用されている救急バンは、便利なものであり必需品となっているのであるが切傷等で急を用する時に取出すのに手間がかかり不便な面もあったものである。
【考案の開示】
【考案が解決しようとする課題】
【０００３】上記の様に救急バンを使用する際、スピーディに取出せない不便さがあったため、それを解決するために本考案を提案するものである。
【課題を解決するための手段】
【０００４】包装箱内の救急バンを、全枚数連続しているものにして包装箱に取出口用スリットを設けそのスリットにより常に救急バン１枚分が箱より出ている状態にしておくものである。
【考案の効果】
【０００５】従来の救急バンに於いては切傷等で急を用する際包装箱を開き、５枚連続の救急バンより１枚切り取り包装箱に残りを収納し、箱のふたを閉じるというめんどうでわずらわしさがありスピーディに取り出せない欠点があったが本考案によりす早く救急バンが取り出せるものである。
【考案を実施するための最良の形態】
【０００６】包装箱の一面に救急バン取出口用スリットを設けスリット面をミシン目の入った透明なビニール類シートでおおい、常に１枚分の救急バンが箱から出ている状態にするものである。
【図面の簡単な説明】
【図１】連続している救急バンを取出口用スリットから１枚ずつ取り出せるように包装箱を考案した図面。
【符号の設明】
Ａ  包装箱
Ｂ  取出口
Ｃ  ミシン目の入った透明なビニール類シート
【図１】
0003158104.tif 000003
(57)【要約】      （修正有）【課題】清涼菓子にエクササイズ効果を持たせ、唾液の分泌を促進させ、唾液の洗浄作用を利用し、口臭軽減の効果を持続させることができる清涼食品を提供する。【解決手段】舌先に装着できる形状の清涼食品であって、水分を含むと一時的な粘着力を発揮する食材を舌先に接する面２に使用し、外面に清涼成分含有層、糖衣層等の複層構造を有する。【選択図】図１
0003158108.tif 000002
【実用新案登録請求の範囲】
【請求項１】
舌先に装着できる形状の口臭対策用の清涼食品であって、水分を含むと一時的な粘着力を発揮する食材を舌先に接する面に使用し、外側に面した食材に清涼成分含有層、糖衣層、等の複層構造を特徴とする清涼食品。
【考案の詳細な説明】
【０００１】  本考案は、口臭対策を主な目的とした清涼食品に関する。
【背景技術】
【０００２】  従来、口臭対策を主な目的とした清涼食品は、清涼成分が口内に残っている間は効果を発揮するものの、その持続時間は短いものである。【０００３】  なお、本願考案に関連する公知技術として次の特許文献１を挙げることができる。【０００４】
【特許文献１】特開２００５−２３６８８５公報
【考案の開示】
【考案の解決しようとする課題】
【０００５】  上述の如く、従来の口臭対策を主な目的とした清涼食品は、口臭の原因となる物質を取り除くものではなく、その効果の持続は難しい。
【０００６】  本考案は、このような点に鑑みて成されたものであり、その目的は、口臭の原因となる物質を払拭し、口臭の発生を抑えることにある。
【課題を解決するための手段】
【０００７】  上述の目的を達成するため、本考案の清涼食品は、舌先に装着できる形状の半円袋状の清涼食品であって、水分を含むと一時的な粘着力を発揮する食材を舌先に接する面に使用し、それを装着した舌を使って直接、口内細菌の繁殖しやすい歯茎と唇の間に清涼成分を塗布すると共に、口臭の発生の原因となる細菌を払拭する。  一例として、前述の動作を行う際、歯茎と唇の間に沿って上顎、下顎を通り、時計回り又は反時計回りに一周させる。この動作を時計回り、反時計回りと交互に繰り返すことによって、舌と唇の筋肉の鍛錬にもなり、口元の引き締め効果もある。
【考案の効果】
【０００８】  以上説明したように本考案によれば、口臭が気になるが歯を磨く時間の無い緊急時に、舌を使うことによって直接清涼成分を塗布すると同時に、口内細菌を払拭することができ、さらに、舌の筋肉を使うことにより唾液の分泌を促進し、唾液の殺菌洗浄作用により口臭軽減の効果の持続が期待できる。さらに、これを習慣的に行うと、歯周病予防の効果も期待できる。
【考案を実施するための最良の形態】
【０００９】  以下、本考案の実施の形態を図面に基づき詳細に説明する。【００１０】  図１、図２に示すように、本清涼食品は、舌先に装着できる形状であるため、内側に面した食材２に乾燥したゼラチン加工食品等の水分を含むと一時的に粘着力を発揮する食材を使用する。【００１１】  このようなことから、外側に面した食材３には、本清涼食品の舌先からの脱落を防ぐ為に、滑りやすい食材を使用しなければならない。例えば、グミ、糖衣層でコーティング等が適している。さらに、図２に示すように、香味油等の潤滑性のある清涼成分４を外側に面した食材３の中に封じ込めた形態が最適である。
【産業上の利用可能性】
【００１２】  本考案は、飴等の清涼菓子を製造、販売する産業分野で利用することができる。
【図面の簡単な説明】
【００１３】
【図１】本考案の清涼食品の外観斜視図である。
【図２】図１の清涼食品の中央部の断面図である。
【符号の説明】  ２、内側に面した食材  ３、外側に面した食材  ４、潤滑性の高い清涼成分
【図１】
0003158108.tif 000003
【図２】
0003158108.tif 000004
(57)【要約】      （修正有）【課題】紙箱の耐久性を補い、紙箱の蓋体の変形や破損を防止し、紙箱の蓋体に取り付けられた切断刃の切断性能を高める着脱式ラップフィルム用紙箱補強器具を提供する。【解決手段】適度な剛性と弾性を有する合成樹脂又は紙からなり、Ｌ字型に折り曲げることを可能とするスジ入れ加工と着脱を可能とするシール加工が施されている。【選択図】図２
0003158113.tif 000002
【実用新案登録請求の範囲】
【請求項１】
ラップフィルム用紙箱の蓋体に取り付け、この蓋体を補強し、変形及び破損を防止することでラップフィルムの切断をスムーズ行うことを目的とした紙箱補強器具であって、適度な剛性と弾性を有する合成樹脂又は紙からなり、Ｌ字型に折り曲げることを可能とするスジ入れ加工と着脱を可能とするシール加工が施された着脱式ラップフィルム用紙箱補強器具。 
【請求項２】
Ａ面１に比較してＢ面２の幅が細めになっていることを特徴とした請求項１記載の着脱式ラップフィルム用紙箱補強器具。                                                      
【考案の詳細な説明】
【技術分野】
【０００１】
本考案はラップフィルム用紙箱の蓋体を補強する器具に関するものである。
【背景技術】
【０００２】
従来のラップフィルム用紙箱は、使い切を前提とした消耗品としての制約から耐久性に乏しく、しばしば付属の切断刃によるフィルム切断が困難になる状況を招いていた。
【先行技術文献】
【特許文献】
【０００３】
【特許文献１】特許公開２００４−３５２３５６
【考案の概要】
【考案が解決しようとする課題】
【０００４】
メーカーにより紙箱の形状を工夫するなどの改善策が講じられているが、紙箱の耐久性、とりわけ切断刃を取り付けた蓋体の耐久性を向上させるまでには至らず、結果的にラップフィルム切断性能の劣化を解決することは叶わなかった。しかも、コスト面における制約からも紙箱の著しい改善は難しいと思われる。
【課題を解決するための手段】
【０００５】
そこで、適度な剛性と弾性を有する合成樹脂又は紙に対してＬ字型に折り曲げることを可能とするスジ入れ加工を施した紙箱補強器具を装着することで、ラップフィルム用紙箱の耐久性を高めるとともに切断性能と使い勝手の向上を実現する。 
【０００６】
また、着脱可能なシール加工によりラップフィルム用紙箱への着脱を行うことで、繰り返し使用できるとともに、極めて簡易な構造を採用することでコスト軽減を実現する。
【考案の効果】
【０００７】
上述の様に、本考案の紙箱補強器具はラップフィルム用紙箱の耐久性を補い、紙箱の変形や破損を防止することで付属の切断刃の性能を高め、ラップフィルムの切断をスムーズに行うことを可能とした。 
【０００８】
着脱可能なシール加工を施すことにより、着脱が容易でありながら安定性した装着性を確保した。 
【０００９】
極めて簡易な構造でありながら繰り返し使うことを可能とし、コスト面での優位性を得た。
【図面の簡単な説明】
【００１０】
【図１】本考案をラップフィルム用紙箱に装着する前の形状を示す裏側から見た図であ            る。
【図２】本考案をラップフィルム用紙箱に装着した時の形状を正面から示す図である。
【図３】本考案をラップフィルム用紙箱に装着した時の形状を側面から示す図である。
【考案を実施するための形態】
【００１１】
紙箱補強器具本体は、スジ入れ加工位置３を機軸にしてＬ字型に折り曲げてラップフィルム用紙箱の蓋体に装着するが、その装着の安定性は着脱可能なシール４ａ及び４ｂにより確保される。
【実施例】
【００１２】
以下、添付図面に従って一実施例を説明する。  適度な剛性と弾性を有する板状の合成樹脂又は紙素材に折り曲げを可能とするスジ入れ加工３と着脱可能なシール加工４を施した紙箱補強器具本体をＬ字型に折り曲げてラップフィルム用紙箱の蓋体６に装着する。     
【００１３】
太さが異なるラップフィルム用紙箱に対応できるように、紙箱補強器具本体のＡ面１に比較して紙箱補強器具本体のＢ面２の幅は細めに仕上げておく。 
【００１４】
着脱可能なシール４には、両面テープや粘着樹脂を使用するが、糊部分に付着したホコリを水で洗い流すことで粘着力が回復するタイプの再剥離シールを使用するとなお良い。  
【００１５】
紙箱補強器具の素材にハサミなどで切断できる合成樹脂又は紙を採用することで、使い手自身がラップフィルム用紙箱５に合わせて微妙なサイズ調整を施すことが可能となり、専用規格の物を用意する必要性が著しく低下する。 
【００１６】
本考案の用途はラップフィルム用紙箱に限らず、アルミ箔やクッキングペーパーなどの紙箱にも用いることが可能である。
【符号の説明】
【００１７】
１  紙箱補強器具本体のＡ面  
２  紙箱補強器具本体のＢ面  
３  折り曲げを可能とするスジ入れ加工位置  
４ａ、４ｂ  着脱可能なシール  
５  ラップフィルム用紙箱  
６  ラップフィルム用紙箱の蓋体
【図１】
0003158113.tif 000003
【図２】
0003158113.tif 000004
【図３】
0003158113.tif 000005
【手続補正書】
【提出日】平成22年1月13日(2010.1.13)
【手続補正１】
【補正対象書類名】実用新案登録請求の範囲
【補正対象項目名】全文
【補正方法】変更
【補正の内容】
【実用新案登録請求の範囲】
【請求項１】
ラップフィルム用紙箱の蓋体に取り付け、この蓋体を補強し、変形及び破損を防止することでラップフィルムの切断をスムーズ行うことを目的とした紙箱補強器具であって、適度な剛性と弾性を有する合成樹脂又は紙からなり、Ｌ字型に折り曲げることを可能とするスジ入れ加工と着脱を可能とするシール加工が施された着脱式ラップフィルム用紙箱補強器具。
【請求項２】
折り曲げを可能とするスジ入れ加工位置（３）により区分された紙箱補強器具本体のＡ面（１）及びＢ面（２）の幅の長さが異なることを特徴とした請求項１記載の着脱式ラップフィルム用紙箱補強器具。